(57)【要約】【課題】認証対象と確実に紐付けされる無線タグ１０を用いて、チケットの不正利用を確実に防止する。【解決手段】無線タグは、外部からの電磁波により起電力を生じる電磁誘導部および、情報を記憶し起電力により情報を出力する情報記憶部を有する回路部と、回路部が配され、折りたたみ可能なベース部と、ベース部に設けられ、ベース部を折りたたんだ場合に、電磁誘導部を電気的に切断してベース部を折りたたんだ状態に係止する係止部とを備える。また、無線タグは、対象に回路部を取り付けるベルトをさらに備え、ベース部はベルトを挟んだ状態で折りたたまれることにより、ベルトは輪形状となる。さらに、無線タグにおける係止部は、情報記憶部の近傍に配され、ベース部から突出する突出部および突出部に挿通されるベース側挿通部を有し、ベルトは、ベース部に挟まれた場合に係止部を挿通させる開口部を有する。【選択図】  図１４
2004264910.tif 000002
【特許請求の範囲】
【請求項１】
外部からの電磁波により起電力を生じる電磁誘導部および、情報を記憶し前記起電力により前記情報を出力する情報記憶部を有する回路部と、
前記回路部が配され、折りたたみ可能なベース部と、
前記ベース部に設けられ、前記ベース部を折りたたんだ場合に、前記電磁誘導部を電気的に切断して前記ベース部を折りたたんだ状態に係止する係止部と
を備える無線タグ。
【請求項２】
対象に前記回路部を取り付けるベルトをさらに備え、前記ベース部は前記ベルトを挟んだ状態で折りたたまれることにより、前記ベルトは輪形状となる請求項１に記載の無線タグ。
【請求項３】
前記係止部は、前記情報記憶部の近傍に配され、前記ベース部から突出する突出部および前記突出部に挿通されるベース側挿通部を有し、前記ベルトは、前記ベース部に挟まれた場合に前記係止部を挿通させる開口部を有する請求項２に記載の無線タグ。
【請求項４】
外部からの電磁波により起電力を生じる主電磁誘導部および副電磁誘導部と、
情報を記憶し、前記起電力により前記情報を出力する情報記憶部とを備え、
前記副電磁誘導部は、前記主電磁誘導部に対して同一平面上に配される初期位置から、前記主電磁誘導部と積層する積層位置へ折り曲げ可能である無線タグ。
【請求項５】
前記初期位置において、前記副電磁誘導部は、前記情報記憶部に対して前記主電磁誘導部の起電力と同方向の起電力を生ずるとともに、
前記積層位置において、前記副電磁誘導部は、前記情報記憶部に対して前記主電磁誘導部の起電力と逆方向の起電力を生ずる請求項４に記載の無線タグ。
【請求項６】
前記情報記憶部は、前記情報を出力することができる電力である閾値電圧を有し、
前記閾値電圧は、前記外部からの所定強度の電磁波に対して前記主電磁誘導部により前記情報記憶部の両端に生じる電圧よりも小さく、前記積層位置において前記所定強度の電磁波に対して前記主電磁誘導部および前記副電磁誘導部により前記情報記憶部の両端に生じる電圧よりも大きい請求項５に記載の無線タグ。
【請求項７】
前記副電磁誘導部は前記主電磁誘導部と電気的に並列に接続され、
前記副電磁誘導部が前記積層位置に移動した場合に、前記副電磁誘導部を電気的に切断する切断部をさらに備える請求項６に記載の無線タグ。
【請求項８】
前記初期位置において、前記副電磁誘導部は、前記情報記憶部に対して前記主電磁誘導部の起電力と逆方向の起電力を生ずるとともに、
前記積層位置において、前記副電磁誘導部は、前記情報記憶部に対して前記主電磁誘導部の起電力と同方向の起電力を生ずる請求項４に記載の無線タグ。
【請求項９】
対象に取り付けられ、前記対象に関する情報を無線発信する無線タグであって、
外部からの電磁波により起電力を生じる電磁誘導部および、前記情報を記憶し前記起電力により前記情報を出力する情報記憶部を有する回路部と、
前記対象に前記回路部を取り付ける取付部と、
前記取付部に配され、少なくとも前記情報記憶部と閉回路を構成する導線部とを備え、
前記対象に取り付けられた前記回路部が取り外される場合に、前記導線部が電気的に切断されることにより、前記情報記憶部の動作が禁止される無線タグ。
【請求項１０】
前記取付部は、輪形状により前記対象に前記回路部を取り付けるベルトを有し、前記導線部は、前記ベルトの輪形状に沿って略輪形状を有する請求項９に記載の無線タグ。
【請求項１１】
前記導線部は、前記電磁誘導部と前記情報記憶部との間に電気的に直列に接続される請求項１０に記載の無線タグ。
【請求項１２】
外部からの電磁波により起電力を生じる電磁誘導部および、情報を記憶し前記起電力により前記情報を出力する情報記憶部を有する回路部と、
前記回路部が配され、折りたたみ可能なベース部と、
前記ベース部を折りたたんだ状態に係止する係止部と、
前記ベース部が折りたたまれた状態から開かれた場合に、前記回路部の少なくとも一部を電気的に切断する開放切断部と
を備える無線タグ。
【請求項１３】
前記係止部は、前記情報記憶部の近傍に配され、前記ベース部から突出する突出部および前記突出部に挿通されるベース側挿通部を有し、前記開放切断部は、前記突出部および前記情報記憶部を囲うように設けられた切り欠きを含む切欠部を有し、
前記ベース部が折りたたまれた状態から開かれる場合に、前記突出部が前記ベース側挿通部から引き抜かれる力よりも小さい力で、前記切欠部がベース本体から離れることにより、前記回路部を電気的に切断する請求項１２に記載の無線タグ。
【請求項１４】
対象に前記回路部を取り付けるベルトをさらに備え、前記ベース部は前記ベルトを挟んだ状態で折りたたまれることにより、前記ベルトは輪形状となる請求項１２に記載の無線タグ。
【請求項１５】
前記ベルトは、前記ベース部に挟まれた場合に前記係止部を挿通させる開口部を有する請求項１４に記載の無線タグ。
【請求項１６】
前記ベルトに配され、少なくとも前記情報記憶部と閉回路を構成する導線部を備え、
前記導線部は、前記ベルトの輪形状に沿って略輪形状を有し、
前記電磁誘導部は、主電磁誘導部および副電磁誘導部を有し、
前記副電磁誘導部は、前記主電磁誘導部と電気的に並列に接続され、前記主電磁誘導部に対して同一平面上に配される初期位置から、前記主電磁誘導部と積層する積層位置へ折り曲げ可能であり、
前記係止部は、前記初期位置から、前記積層位置へ移動した場合に、前記副電磁誘導部を電気的に切断する請求項１５に記載の無線タグ。
【発明の詳細な説明】
【０００１】
【発明の属する技術分野】
本発明は、無線タグに関する。特に本発明は、イベント会場等において入場チケットの不正利用を防止する無線タグに関する。
【０００２】
【従来の技術】
コンサートや展示会等のイベント会場において、利用者は、あらかじめ購入したチケットをイベントの係員に提示することにより、イベント会場に入場することができる。このチケットとして無線タグを利用するものがある（例えば、非特許文献１）。開演期間が数日に渡るイベントの中には、同一の利用者が１つのチケットを使って、開演期間内に何度でもイベント会場に再入場できるイベントがある。そのようなイベントにおいて、入場者がイベント会場に入場する場合、イベントの係員が正規のチケットであるか否かを確認することにより、または入場ゲートに設けられた読み取り装置が無線タグの情報を読み取って入場者の再入場を許可していた。
【０００３】
【非特許文献１】
日本経済新聞、２００２年１２月１６日、第１５面。
【０００４】
【発明が解決しようとする課題】
しかし、イベントの係員は、提示されたチケットのみを確認することにより、入場者の再入場を許可するので、チケットが盗まれた場合およびチケットが他人に譲渡された場合であっても、イベントの係員は、チケットを提示した入場者の再入場を許可してしまうという問題があった。無線タグを用いたチケットでも同様の問題があった。
【０００５】
そこで本発明は、上記の課題を解決することのできる無線タグを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、無線タグは、外部からの電磁波により起電力を生じる電磁誘導部および、情報を記憶し起電力により情報を出力する情報記憶部を有する回路部と、回路部が配され、折りたたみ可能なベース部と、ベース部に設けられ、ベース部を折りたたんだ場合に、電磁誘導部を電気的に切断してベース部を折りたたんだ状態に係止する係止部とを備える。
【０００７】
上記の無線タグは、対象に回路部を取り付けるベルトをさらに備え、ベース部はベルトを挟んだ状態で折りたたまれることにより、ベルトは輪形状となる。さらに、上記の無線タグにおける係止部は、情報記憶部の近傍に配され、ベース部から突出する突出部および突出部に挿通されるベース側挿通部を有し、ベルトは、ベース部に挟まれた場合に係止部を挿通させる開口部を有する。
【０００８】
また、本発明の第２の形態によると、無線タグは、外部からの電磁波により起電力を生じる主電磁誘導部および副電磁誘導部と、情報を記憶し、起電力により情報を出力する情報記憶部とを備え、副電磁誘導部は、主電磁誘導部に対して同一平面上に配される初期位置から、主電磁誘導部と積層する積層位置へ折り曲げ可能である。初期位置において、上記の無線タグにおける副電磁誘導部は、情報記憶部に対して主電磁誘導部の起電力と同方向の起電力を生ずるとともに、積層位置において、副電磁誘導部は、情報記憶部に対して主電磁誘導部の起電力と逆方向の起電力を生ずる。
【０００９】
上記の無線タグにおける情報記憶部は、情報を出力することができる電力である閾値電圧を有し、閾値電圧は、外部からの所定強度の電磁波に対して主電磁誘導部により情報記憶部の両端に生じる電圧よりも小さく、積層位置において所定強度の電磁波に対して主電磁誘導部および副電磁誘導部により情報記憶部の両端に生じる電圧よりも大きい。上記の無線タグにおいて、副電磁誘導部は、主電磁誘導部と電気的に並列に接続され、副電磁誘導部が積層位置に移動した場合に、副電磁誘導部を電気的に切断する切断部をさらに備える。また、初期位置において、上記の無線タグにおける副電磁誘導部は、情報記憶部に対して主電磁誘導部の起電力と逆方向の起電力を生ずるとともに、積層位置において、副電磁誘導部は、情報記憶部に対して主電磁誘導部の起電力と同方向の起電力を生じてもよい。
【００１０】
また、本発明の第３の形態によると、無線タグは、対象に取り付けられ、対象に関する情報を無線発信する無線タグであって、外部からの電磁波により起電力を生じる電磁誘導部および、情報を記憶し起電力により情報を出力する情報記憶部を有する回路部と、対象に回路部を取り付ける取付部と、取付部に配され、少なくとも情報記憶部と閉回路を構成する導線部とを備え、対象に取り付けられた回路部が取り外される場合に、導線部が電気的に切断されることにより、情報記憶部の動作が禁止される。また、上記の無線タグにおける取付部は、輪形状により対象に回路部を取り付けるベルトを有し、導線部は、ベルトの輪形状に沿って略輪形状を有する。さらに、上記の無線タグにおける導線部は、電磁誘導部と情報記憶部との間に電気的に直列に接続される。
【００１１】
また、本発明の第４の形態によると、無線タグは、外部からの電磁波により起電力を生じる電磁誘導部および、情報を記憶し起電力により情報を出力する情報記憶部を有する回路部と、回路部が配され、折りたたみ可能なベース部と、ベース部を折りたたんだ状態に係止する係止部と、ベース部が折りたたまれた状態から開かれた場合に、回路部の少なくとも一部を電気的に切断する開放切断部とを備える。
【００１２】
上記の無線タグにおける係止部は、情報記憶部の近傍に配され、ベース部から突出する突出部および突出部に挿通されるベース側挿通部を有し、開放切断部は、突出部および情報記憶部を囲うように設けられた切り欠きを含む切欠部を有し、ベース部が折りたたまれた状態から開かれる場合に、突出部がベース側挿通部から引き抜かれる力よりも小さい力で、切欠部がベース本体から離れることにより、回路部を電気的に切断する。また、上記の無線タグは、対象に回路部を取り付けるベルトをさらに備え、ベース部はベルトを挟んだ状態で折りたたまれることにより、ベルトは輪形状となる。さらに、上記の無線タグにおけるベルトは、ベース部に挟まれた場合に係止部を挿通させる開口部を有する。
【００１３】
上記の無線タグは、ベルトに配され、少なくとも情報記憶部と閉回路を構成する導線部を備え、導線部は、ベルトの輪形状に沿って略輪形状を有し、電磁誘導部は、主電磁誘導部および副電磁誘導部を有し、副電磁誘導部は、主電磁誘導部と電気的に並列に接続され、主電磁誘導部に対して同一平面上に配される初期位置から、主電磁誘導部と積層する積層位置へ折り曲げ可能であり、係止部は、初期位置から、積層位置へ移動した場合に、副電磁誘導部を電気的に切断する。
【００１４】
なお上記の発明の概要は、本発明の必要な特徴の全てを列挙したものではなく、これらの特徴群のサブコンビネーションも又発明となりうる。
【００１５】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１６】
図１は、第１の実施形態における無線タグ１０の部分斜視図である。本実施形態の無線タグ１０は、認証対象と確実に紐付けされる無線タグ１０を用いてチケットの不正利用を確実に防止することを目的とする。無線タグ１０は、対象に取り付けられ、対象に関する情報を無線発信する。無線タグ１０は、情報を発信する回路部２０と、回路部２０が配され、折りたたみ可能なベース部３０とを備える。回路部２０は、電磁誘導部２２と、情報記憶部２４と、電磁誘導部２２および情報記憶部２４が配されるフィルム２６とを有する。
【００１７】
電磁誘導部２２は、導線を巻いたコイルであり、外部からの電磁波により起電力を生じる。電磁誘導部２２は、主電磁誘導部２２２および副電磁誘導部２２４を有する。情報記憶部２４は、情報を記憶し、電磁誘導部２２が発生させた起電力により情報を出力する。主電磁誘導部２２２および副電磁誘導部２２４は、情報記憶部２４に対して、それぞれ電気的に並列に接続される。フィルム２６は、副電磁誘導部２２４の導線の一部を挟んで配される切込み２６２を有する。フィルム２６が切込み２６２を有することにより、切込み２６２が無い場合に比べて、切込み２６２に挟まれた領域のフィルム２６は破れやすい。従って、切込み２６２が無い場合に比べて、切込み２６２の間に配された副電磁誘導部２２４の導線の一部は切れやすい。
【００１８】
ベース部３０は、略長方形の板状であり、ベース部３０の長辺の略中央にある境界線Ａを中心として折りたたまれることができる。ベース部３０は、係止部３２および切欠部３４を備える。無線タグ１０は、開放切断部と、副電磁誘導部２２４を電気的に切断する切断部とを有する。なお、切欠部３４は開放切断部の一例であり、係止部３２は切断部の一例である。係止部３２は、ベース部３０を折りたたんだ状態に係止する。係止部３２は、ベース部３０上において境界線Ａで隔てられた一方の領域の略中央にベース部３０から突出する突出部３２２、およびベース部３０上において境界線Ａで隔てられた他方の領域の略中央に配されるベース側挿通部３２４を備える。ベース側挿通部３２４は、突出部３２２に挿通される略円筒状の穴であり、ベース部３０が境界線Ａを中心として突出部３２２が突出している面を合わせるように折りたたまれると、突出部３２２が挿入される。
【００１９】
電磁誘導部２２および情報記憶部２４が配されたフィルム２６が、ベース部３０の突出部３２２が突出している面に貼り付けられることにより、回路部２０はベース部３０上に配される。主電磁誘導部２２２および情報記憶部２４は、ベース部３０の境界線Ａで隔てられた突出部３２２が配される側に配され、情報記憶部２４は、突出部３２２の近傍に設けられた切欠部３４上に配される。副電磁誘導部２２４は、ベース部３０の境界線Ａで隔てられたベース側挿通部３２４が配される側に配され、副電磁誘導部２２４を構成する導線は、ベース側挿通部３２４の上を通る。フィルム２６上の切込み２６２は、ベース側挿通部３２４の両側に配される。
【００２０】
初期位置は、図１に示すように、副電磁誘導部２２４が主電磁誘導部２２２に対して同一平面上に配される位置である。また、積層位置は、ベース部３０が境界線Ａを中心として折りたたまれた位置である。この積層位置において、副電磁誘導部２２４は、主電磁誘導部２２２に対して積層される。副電磁誘導部２２４は、ベース部３０と一体となって、初期位置から積層位置へ折り曲がることができる。副電磁誘導部２２４が積層位置へ折り曲げ可能であることにより、同一方向からの電磁波に対して、主電磁誘導部２２２が形成する平面がなす角度と、副電磁誘導部２２４が形成する平面がなす角度とを異ならせることができる。
【００２１】
図２は、第１の実施形態における回路部２０の上面図である。図３および図４は、第１の実施形態の初期位置および積層位置における回路部２０の等価回路図である。第１の実施形態の主電磁誘導部２２２および副電磁誘導部２２４を形成するコイルは、初期位置において同方向に巻かれる。なお、第１から第４の実施形態において、外部から回路部２０に与える電磁波の磁界は、少なくとも、初期位置の主電磁誘導部２２２および副電磁誘導部２２４が形成する平面と略垂直な磁界の成分において、主電磁誘導部２２２および副電磁誘導部２２４によって囲まれた領域内全体に渡って略同位相であるとする。
【００２２】
主電磁誘導部２２２および副電磁誘導部２２４がそれぞれ囲む領域を、図２に示す矢印Ｂの方向に鎖交する電磁波の磁界が増加する場合、主電磁誘導部２２２および副電磁誘導部２２４の導線内をそれぞれ流れる電流の向きは、矢印Ｃの方向となる。この場合の等価回路は、図３のようになる。図３において、副電磁誘導部２２４が発生する起電力は、情報記憶部２４に対して主電磁誘導部２２２が発生する起電力と同方向となる。また、主電磁誘導部２２２および副電磁誘導部２２４がそれぞれ囲む領域を、矢印Ｂの方向に鎖交する電磁波の磁界が減少する場合、主電磁誘導部２２２および副電磁誘導部２２４の導線内をそれぞれ流れる電流の向きは、矢印Ｃと逆の方向となる。この場合も、副電磁誘導部２２４が発生する起電力は、情報記憶部２４に対して主電磁誘導部２２２が発生する起電力と同方向となる。
【００２３】
さらに、主電磁誘導部２２２および副電磁誘導部２２４がそれぞれ囲む領域を、矢印Ｂと逆の方向に鎖交する電磁波の磁界が増加する場合、主電磁誘導部２２２および副電磁誘導部２２４の導線内をそれぞれ流れる電流の向きは、矢印Ｃと逆の方向であり、磁界が減少する場合、導線内をそれぞれ流れる電流の向きは矢印Ｃと同じ方向となる。これにより、副電磁誘導部２２４が主電磁誘導部２２２に対して初期位置にある場合、副電磁誘導部２２４は、情報記憶部２４に対して主電磁誘導部２２２が発生する起電力と同方向の起電力を発生する。また、副電磁誘導部２２４および主電磁誘導部２２２により、情報記憶部２４の端子ＸおよびＹに生じる電圧は、外部から同じ電磁波を受けた場合に、単独の主電磁誘導部２２２によりＸおよびＹに生じる電圧よりも大きい。
【００２４】
図２に示す回路部２０において、副電磁誘導部２２４を、境界線Ａを中心として主電磁誘導部２２２に対する積層位置へ折りたたむと、折りたたむ前と後とで副電磁誘導部２２４に対する電磁波の磁界の向きが逆となる。これにより、主電磁誘導部２２２が囲む領域を矢印Ｂの方向に鎖交する電磁波の磁界が増加する場合、主電磁誘導部２２２には矢印Ｃの方向に電流が流れるが、積層位置にある副電磁誘導部２２４には、矢印Ｃの逆の方向に電流が流れる。この場合の等価回路は図４のようになり、副電磁誘導部２２４が発生する起電力は、情報記憶部２４に対して主電磁誘導部２２２が発生する起電力と逆方向となる。
【００２５】
積層位置においても、初期位置の場合と同様に、矢印Ｂ方向への電磁波における磁界が減少する場合、主電磁誘導部２２２には矢印Ｃと逆の方向の電流が流れ、副電磁誘導部２２４には矢印Ｃの方向に電流が流れる。さらに、主電磁誘導部２２２および副電磁誘導部２２４がそれぞれ囲む領域を、矢印Ｂの逆の方向に鎖交する電磁波の磁界が増加する場合、主電磁誘導部２２２には矢印Ｃと逆の方向に電流が流れるとともに、副電磁誘導部２２４には矢印Ｃの方向に電流が流れ、磁界が減少する場合、主電磁誘導部２２２には矢印Ｃの方向に電流が流れるとともに、副電磁誘導部２２４には矢印Ｃの逆の方向に電流が流れる。
【００２６】
副電磁誘導部２２４が主電磁誘導部２２２に対して積層位置にある場合、副電磁誘導部２２４は、情報記憶部２４に対して主電磁誘導部２２２が発生する起電力と逆方向の起電力を発生する。従って、副電磁誘導部２２４および主電磁誘導部２２２により、情報記憶部２４の端子ＸおよびＹに生じる電圧は、外部から同じ電磁波を受けた場合に、単独の主電磁誘導部２２２によりＸおよびＹに生じる電圧よりも小さい。
【００２７】
これにより、例えば、電磁波の磁界の向きに対して、主電磁誘導部２２２が形成する面を略垂直となるように配置すると、副電磁誘導部２２４が主電磁誘導部２２２に対して初期位置にある場合は、情報記憶部２４の端子ＸおよびＹに発生する電圧は最大になる。副電磁誘導部２２４が主電磁誘導部２２２に対する積層位置へ移動するに伴い、情報記憶部２４の端子ＸおよびＹに発生する電圧は初期位置で発生する電圧よりも小さくなり、積層位置で情報記憶部２４の端子ＸおよびＹに発生する電圧は最小になる。従って、回路部２０は、副電磁誘導部２２４の主電磁誘導部２２２に対する相対的な位置に応じて、情報記憶部２４の両端に発生する電圧を変化させることができる。
【００２８】
情報記憶部２４は、情報を出力することができる電力である閾値電圧を有する。閾値電圧は、外部からの所定強度の電磁波に対して主電磁誘導部２２２により情報記憶部２４の両端に生じる電圧よりも小さく、積層位置において所定強度の電磁波に対して主電磁誘導部２２２および副電磁誘導部２２４により情報記憶部２４の両端に生じる電圧よりも大きい。
【００２９】
例えば、無線タグ１０から情報を読み出す読み出し器を用いて、無線タグ１０から情報を読み出す場合、読み出し器の電磁波を放射する面に無線タグ１０が接触させられることにより、無線タグ１０と電磁波の放射源との距離が一定にされ、読み出し器が発生する電磁波と主電磁誘導部２２２が形成する平面とが略直角にされる。読み出し器から放射された所定強度の電磁波に対して、主電磁誘導部２２２が単独で情報記憶部２４の両端に、ある大きさの電圧を発生させる。また、同じ所定強度の電磁波に対し、積層位置にある主電磁誘導部２２２および副電磁誘導部２２４がそれぞれ発生した起電力によって情報記憶部２４の両端に、ある大きさの電圧を発生させる。この場合、閾値電圧をこれらの電圧の中間の値に設定することにより、主電磁誘導部２２２が単独で起電力を発生するときは、情報記憶部２４が確実に動作し、積層位置において、主電磁誘導部２２２および副電磁誘導部２２４が共に起電力を発生するときは、情報記憶部２４の動作が確実に禁止される。
【００３０】
さらに、主電磁誘導部２２２および副電磁誘導部２２４が初期位置にある場合は、主電磁誘導部２２２が単独で発生させる電圧よりも、情報記憶部２４の両端に発生する電圧は大きい。従って、情報記憶部２４が閾値電圧を有することにより、初期位置においても情報記憶部２４は確実に動作する。
【００３１】
ここで、第１の実施形態において、第２の実施形態の主電磁誘導部２２２および副電磁誘導部２２４を形成するコイルは、初期位置において互いに同方向に巻かれるが、コイルの巻き方向はこれに限られない。第２の実施形態として、主電磁誘導部２２２および副電磁誘導部２２４を形成するコイルは、初期位置において互いに逆方向に巻かれる。これにより、副電磁誘導部２２４が主電磁誘導部２２２に対して初期位置にある場合、副電磁誘導部２２４は、情報記憶部２４に対して主電磁誘導部２２２が発生する起電力と逆方向の起電力が発生し、積層位置にある場合、副電磁誘導部２２４は、情報記憶部２４に対して主電磁誘導部２２２が発生する起電力と同方向の起電力が発生する。従って、第２の実施形態においても、回路部２０はは、副電磁誘導部２２４の主電磁誘導部２２２に対する相対的な位置に応じて、情報記憶部２４の両端に発生する電圧を変化させることができる。
【００３２】
図５は、係止部３２近傍の断面図である。切欠部３４は、突出部３２２を囲うように設けられた切り欠き３４２、および切り欠き３４２に囲まれ、主電磁誘導部２２２の一部が配される座台３４４を有する。座台３４４が切り欠き３４２に囲まれることにより、座台３４４は、切り欠き３４２が設けられていない場合に比べて、小さい力でベース部３０から引き離されることができる。
【００３３】
係止部３２が備える突出部３２２は略円柱状であり、半球部３２６、かえし部３２８、および円柱部３３０を備える。半球部３２６は、突出部３２２の先端に設けられ、略半球状である。円柱部３３０は、座台３４４と連通し、円柱部３３０の直径は、半球部３２６が形成する円の直径よりも小さい。かえし部３２８は、半球部３２６と円柱部３３０との間に設けられる。
【００３４】
ベース側挿通部３２４は、狭部３３２および狭部３３２よりも穴の直径が大きい広部３３４を有する。狭部３３２は、穴の直径が円柱部３３０の直径と略同一であり、ベース側挿通部３２４の副電磁誘導部２２４が配される側に設けられる。広部３３４は、ベース側挿通部３２４において、狭部３３２を挟んで副電磁誘導部２２４の反対側に設けられる。広部３３４の直径は、狭部３３２の直径よりも大きく、かえし部３２８の直径と略同一である。
【００３５】
図６、７、および８は、無線タグ１０の取り付け方法の説明図である。無線タグ１０は、対象に回路部２０およびベース部３０を取り付ける帯状のベルト４０を備える。ベルト４０は、対象に回路部２０を取り付ける取付部の一例である。ベルト４０は、開口部４０２および係止穴４０６を有する。開口部４０２は、ベルト４０に複数設けられる。これにより、回路部２０を取り付けられる対象の大きさが異なる場合でも、ベルト４０は、対象に回路部２０を確実に取り付けることができる。
【００３６】
図６に示すように、ベルト４０は、突出部３２２がベルト４０の係止穴４０６に挿通されることにより、回路部２０に取り付けられる。無線タグ１０は、回路部２０およびベルト４０がベース部３０上に配された後で、回路部２０に情報が記憶される。また、回路部２０は、あらかじめ情報を記憶した状態でベース部３０上に配されてもよい。
【００３７】
図７に示すように、無線タグ１０を対象に取り付けるには、ベルト４０が輪形の状態にされ、突出部３２２を挿入する開口部４０２が対象の大きさに合わせて選ばれ、選ばれた開口部４０２に突出部３２２が挿通される。次に、図８に示すように、ベース部３０がベルト４０を挟んだ状態で折りたたされることにより、突出部３２２がベース側挿通部３２４に挿通され、ベース部３０は、折りたたまれた状態で係止される。従って、ベース部３０が折りたたまれることにより、回路部２０が対象に確実に取り付けられる。
【００３８】
図９は、係合直前の係止部３２の断面図であり、図１０は、積層位置における係止部３２の断面図である。ベース部３０が折り曲げられることにより、係止部３２が有するベース側挿通部３２４は、副電磁誘導部２２４を介して、ベルト４０に挿通された突出部３２２と対向する位置に配される。図９の位置は、副電磁誘導部２２４が積層位置に移動する途中を示しており、この状態では、まだ副電磁誘導部２２４は電気的に閉回路を構成している。図９の位置では、副電磁誘導部２２４は、情報記憶部２４に対して主電磁誘導部２２２が発生する起電力と逆方向の起電力を発生する。
【００３９】
電磁波を受けることにより、主電磁誘導部２２２および副電磁誘導部２２４は、情報記憶部２４に対してそれぞれ起電力を発生する。第１の実施形態において、図９の位置で副電磁誘導部２２４が発生する起電力は、情報記憶部２４に対して主電磁誘導部２２２が発生する起電力と逆の方向となり、情報記憶部２４に対して生じる電圧は、主電磁誘導部２２２単独で生じる起電力よりも小さい。情報記憶部２４に対して生じる電圧は、情報記憶部２４が有する閾値電圧よりも小さいので、第１の実施形態における情報記憶部２４は、図９の位置では動作しない。
【００４０】
図９の位置から、ベース部３０が折りたたまれることにより、図９に示す矢印の方向へ突出部３２２が押し上げられると、突出部３２２は、ベース側挿通部３２４上に配された副電磁誘導部２２４の一部を切断する。ベース部３０が折りたたまれることにより、さらに突出部３２２が押し上げられると、ベース側挿通部３２４の狭部３３２が弾性変形することにより、突出部３２２の半球部３２６およびかえし部３２８が、ベース側挿通部３２４の狭部３３２を通過し、ベース側挿通部３２４の広部３３４に到達する（図１０）。
【００４１】
図９の位置から図１０の位置へベース部３０が折りたたまれることにより、副電磁誘導部２２４は、主電磁誘導部２２２に対する積層位置に移動する。係止部３２の突出部３２２は、副電磁誘導部２２４が積層位置に移動した場合に、副電磁誘導部２２４を電気的に切断する。ベース部３０が折りたたまれることにより、電磁誘導部２２の一部が切断されるので、無線タグ１０は、ベース部３０が折りたたまれる前と後とで電磁誘導部２２の回路構成を変化させることができる。
【００４２】
突出部３２２が半球部３２６を備えることにより、半球部３２６の直径より小さい直径を有する狭部３３２内に、突出部３２２は、容易に挿通されることができる。また、突出部３２２が半球部３２６を備えることにより、座台３４４がベース部３０から離れるために必要な力よりも小さい力で、突出部３２２をベース側挿通部３２４に挿通させることができる。突出部３２２がかえし部３２８を備えることにより、突出部３２２をベース側挿通部３２４から引き抜く場合、突出部３２２をベース側挿通部３２４内に挿通する力よりも大きな力が必要となる。従って、突出部３２２およびベース側挿通部３２４は、容易に外れることなく確実に係止される。なお、突出部３２２をベース側挿通部３２４から引き抜くために必要な力は、座台３４４がベース部３０から離れるために必要な力よりも大きい。
【００４３】
図１１は、第１実施形態の回路部２０の積層位置における等価回路図である。積層位置では主電磁誘導部２２２および副電磁誘導部２２４が互いに逆方向の起電力を発生させることにより、第１の実施形態における回路部２０は動作しない。しかし、副電磁誘導部２２４の回路が積層位置へ折りたたまれることにより、副電磁誘導部２２４の回路が電気的に切断されるので、副電磁誘導部２２４は情報記憶部２４に対して起電力を発生しない。これにより、情報記憶部２４は、主電磁誘導部２２２が発生する起電力によって動作する。従って、第１の実施形態の回路部２０は、積層状態において確実に動作する。
【００４４】
図１２は、ベース部３０が開かれた場合の係止部３２近傍の断面図であり、図１３は、ベース部３０が開かれた場合の無線タグ１０の斜視図である。ベース部３０が折りたたまれた状態から開かれる場合に、係止部３２の突出部３２２がベース側挿通部３２４から引き抜かれる力よりも小さい力で、座台３４４はベース部３０から離される。これにより、ベース部３０および座台３４４上に配された主電磁誘導部２２２の一部が、電気的に切断される。従って、ベース部３０が折りたたまれた状態から開かれることにより、無線タグ１０の動作が確実に禁止される。また、無線タグ１０がベルト４０を備えることにより、無線タグ１０は対象に確実に取り付けられるので、無線タグ１０を対象から取り外す場合は、無線タグ１０の動作が確実に禁止される。
【００４５】
第１の実施形態における無線タグ１０の情報記憶部２４に、例えばチケットとしての情報が記憶された場合、副電磁誘導部２２４が積層位置に折りたたまれることにより、無線タグ１０が利用者に取り付けられる。副電磁誘導部２２４が積層位置に確実に折りたたまれると、副電磁誘導部２２４が切れ、外部からの電磁波によって主電磁誘導部２２２が情報記憶部２４に対して閾値電圧以上の電圧を与える。よって、無線タグ１０が確実に動作し、無線タグ１０に記憶されたチケットとしての情報を、利用者がイベントの係員に確実に示すことができる。また、無線タグ１０が再び開かれると、主電磁誘導部２２２が切れ、無線タグ１０は動作しない。よって、動作する無線タグ１０を身に付けている利用者は、最初に無線タグ１０を取り付けた後、一端外してまた取り付けることをしていないことが証明される。従って、最初に取り付けられた利用者とチケットとが確実に紐付けされる。これにより、例えば、イベント会場において、チケットの不正利用を防止することができる。
【００４６】
また、対象と確実に紐付けされた無線タグ１０が対象に関する情報を発信するので、新生児または痴呆老人等の患者に取り付けることにより、病院の職員は、患者を取り違えることなく、確実に管理することができる。さらに、薬物の容器に無線タグ１０を取り付けた場合、無線タグ１０から情報を読み出すことにより、薬物に関する情報だけでなく、容器が開けられたか否かも確認することができる。
【００４７】
図１４は、第３の実施形態における無線タグ１０の平面図である。図１４に示す無線タグ１０において、図１の無線タグ１０と同じ構成には、図１と同じ参照番号を付し、説明を省略する。導線部４０４は、ベルト４０に配され、電磁誘導部２２と情報記憶部２４との間に電気的に直列に接続されており、情報記憶部２４と閉回路を構成する。ベルト４０が輪形状になることにより、無線タグ１０は対象に取り付けら、導線部４０４は、ベルト４０の輪形状に沿って略輪形状を有する。ベース部３０は、ベルト４０と一体に形成される。
【００４８】
第３の実施形態における無線タグ１０は、副電磁誘導部２２４が折りたたまれた状態から開かれることにより、主電磁誘導部２２２の一部が電気的に切断され、無線タグ１０の動作が確実に禁止される。さらに、ベルト４０を切断することにより、無線タグ１０を対象から外した場合にも、導線部４０４が電気的に切断されることにより、無線タグ１０の動作が確実に禁止される。従って、無線タグ１０の不正利用が確実に防止される。
【００４９】
図１５は、第４の実施形態における無線タグ１０の平面図である。図１５に示す無線タグ１０において、図１４の無線タグ１０と同じ構成には、図１４と同じ参照番号を付し、説明を省略する。ベルト４０の先端における、ベルト４０のベース部３０が配されない側であり、導線部４０４が配される側のベルト４０の面には、粘着部４０８が設けられる。粘着部４０８は、例えば接着シール等により接着剤が塗布されるベルト４０上の領域である。導線部４０４の一部は、粘着部４０８およびベルト４０の間に配される。
【００５０】
粘着部４０８が配されたベルト４０の裏面を、ベース部３０またはベルト４０の粘着部４０８が配されないベルト４０の表面に接着されることにより、ベルト４０が輪形状になり、無線タグ１０は、対象に取り付けられることができる。また、粘着部４０８に塗布される接着剤の接着力は、導線部４０４とベルト４０とが接着する力よりも大きい。これにより、粘着部４０８をベルト４０の表面に接着させた後に、接着されたベルト４０の表面と粘着部４０８が配されたベルト４０の裏面とを引き離すと、粘着部４０８近傍の導線部４０４は、粘着部４０８と共にベルト４０の表面上に接着されたまま残る。
【００５１】
一方、粘着部４０８近傍でない導線部４０４の部分は、ベルト４０と接着している。さらに、接着されたベルト４０の表面と粘着部４０８が配されたベルト４０の裏面とを引き離すと、接着されたベルト４０の表面と粘着部４０８が配されたベルト４０の裏面とを引き離す力が導線部４０４に加わり、導線部４０４が切れ、情報記憶部２４は動作しなくなる。従って、対象に取り付けられた無線タグ１０を対象から外す場合、無線タグ１０の動作が確実に禁止され、無線タグ１０の不正利用が防止される。
【００５２】
図１６は、無線タグ１０を用いた入場者制御システム５０の構成図である。イベント会場等で使用される入場者制御システム５０は、想定される不正利用パターンを格納する不正利用パターンデータベース５２と、検知した入場者の情報を格納する受信データログ５６と、不正利用パターンデータベース５２および受信データログ５６のパターンを照合するパターン照合部５４と、利用者に取り付けられた無線タグ１０と、無線タグ１０と通信するリーダライタ６０と、リーダライタ６０を制御する制御部５８とを備える。
【００５３】
不正利用パターンデータベース５２は、不正利用と見なすことができるパターンが一覧形式で登録されたデータベースである。不正利用と見なすことができるパターンとは、例えば、単位時間あたりに複数回入場したことを示すパターン、無線タグ１０を着けていない、無線タグ１０が動作していない、または無線タグ１０が積層位置に折りたたまれていないことにより、応答の電磁波が正常な無線タグ１０よりも弱いことを示すパターン等である。
【００５４】
受信データログ５６は、制御部５８が無線タグ１０から受信した情報を受信時刻と対応づけて格納するデータベースである。パターン照合部５４は、不正利用パターンデータベース５２および受信データログ５６から利用者の入場パターンを読み出し、不正利用パターンデータベース５２に登録された入場パターンが受信データログ５６から読み出した入場パターンと一致するか否かを照合し、一致した場合は、その旨を制御部５８に送る。制御部５８は、リーダライタ６０を制御し、リーダライタ６０から受信した情報を受信データログ５６に格納する。
【００５５】
無線タグ１０は、対象に取り付けられ、対象に関する情報を無線発信する。リーダライタ６０は、利用者に取り付けられた無線タグ１０から電波を用いて情報を受信し、受信した情報を制御部５８に送る。また、リーダライタ６０は、パターン照合部５４が不正利用であると判定した場合、異常音を鳴らすことにより、利用者および関係者に不正利用であることを通知する。さらに、制御部５８は、パターン照合部５４が不正利用であると判定した場合、通信回線を介して、管理センターに通報してもよい。これにより、入場チケットの不正利用が確実に防止される。
【００５６】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００５７】
【発明の効果】
上記説明から明らかなように、本発明の無線タグ１０によれば、対象と確実に紐付けすることができ、チケットの不正利用を確実に防止することができる。
【図面の簡単な説明】
【図１】第１の実施形態における無線タグ１０の部分斜視図である。
【図２】第１の実施形態における回路部２０の上面図である。
【図３】第１の実施形態の初期位置における回路部２０の等価回路図である。
【図４】第１の実施形態の積層位置における回路部２０の等価回路図である。
【図５】係止部３２近傍の断面図である。
【図６】無線タグ１０の取り付け方法の説明図である。
【図７】無線タグ１０の取り付け方法の説明図である。
【図８】無線タグ１０の取り付け方法の説明図である。
【図９】係合直前の係止部３２の断面図である。
【図１０】積層位置における係止部３２の断面図である。
【図１１】第１実施形態の回路部２０の積層位置における等価回路図である。
【図１２】ベース部３０が開かれた場合の係止部３２近傍の断面図である。
【図１３】ベース部３０が開かれた場合の無線タグ１０の斜視図である。
【図１４】第３の実施形態における無線タグ１０の平面図である。
【図１５】第４の実施形態における無線タグ１０の平面図である。
【図１６】無線タグ１０を用いた入場者制御システム５０の構成図である。
【符号の説明】
１０  無線タグ、２０  回路部、２２  電磁誘導部、２４  情報記憶部、２６  フィルム、３０  ベース部、３２  係止部、３４  切欠部、４０  ベルト、５０入場者制御システム、５２  不正利用パターンＤＢ、５４  パターン照合部、５６  受信データログ、５８  制御部、６０  リーダライタ、２２２  主電磁誘導部、２２４  副電磁誘導部、２６２  切込み、３２２  突出部、３２４  ベース側挿通部、３２６  半球部、３２８  かえし部、３３０  円柱部、３３２  狭部、３３４  広部、３４２  切り欠き、３４４  座部、４０２  開口部、４０４導線部、４０６  係止穴、４０８  粘着部
【図１】
2004264910.tif 000003
【図２】
2004264910.tif 000004
【図３】
2004264910.tif 000005
【図４】
2004264910.tif 000006
【図５】
2004264910.tif 000007
【図６】
2004264910.tif 000008
【図７】
2004264910.tif 000009
【図８】
2004264910.tif 000010
【図９】
2004264910.tif 000011
【図１０】
2004264910.tif 000012
【図１１】
2004264910.tif 000013
【図１２】
2004264910.tif 000014
【図１３】
2004264910.tif 000015
【図１４】
2004264910.tif 000016
【図１５】
2004264910.tif 000017
【図１６】
2004264910.tif 000018